(57)【特許請求の範囲】
【請求項１】
基台上に皿受け部材及び秤皿を含む秤本体部を取り付け設置し、その秤皿を、前記皿受け部材の前端部を支点として揺動可能に配設し、該秤皿の前方には収納容器の載せ降ろしをガイドするスロープ部が一体的に形成されるとともに、秤皿の後端には収納容器の移動を停止させるストッパー部が設けられ、この秤皿は、収納容器が前記スロープ部に乗り上げたときに、そのスロープ部前端が床面に接した搬送位置にあり、さらに収納容器が移動しその重心が前記支点を過ぎたときに、揺動して前記スロープ部前端が床面から離間した計量位置になるようにする計量装置。
【請求項２】
上記秤皿は、収納容器を載せ降ろししない通常時に、前記スロープ部前端が床面から離間した状態であり、かつ後端部が前記皿受け部材の後部に設けた台座に当接支持される請求項１記載の計量装置。
【請求項３】
上記計量位置にある秤皿は、その後端部が前記皿受け部材の後部に設けた台座に当接支持される請求項１記載の計量装置。
【請求項４】
上記秤皿は、前記計量位置にあるとき、前記支点より後側が前記スロープ部とは逆向きの緩い傾斜面に形成されていることを特徴とする請求項１〜３の何れか１項記載の計量装置。
【請求項５】
上記秤皿は、一対の平行なレール部材により構成され、レール部材の間隔が調整可能に構成されていることを特徴とする請求項１〜４の何れか１項記載の計量装置。
【請求項６】
上記秤皿の上面は摺動面に構成されていることを特徴とする請求項１〜５の何れか１項記載の計量装置。
【請求項７】
請求項１〜６記載において、廃棄物等を収納する車輪付きバケツを起立状のまま前方向から移動させ秤皿に載せて計量する計量装置であって、その秤皿は、バケツ移動方向と直交する方向の幅が、前記車輪の間隔よりも狭く、またその高さは、少なくともバケツを車輪で移動させたときに、前記スロープ部に車輪間の部分が当接し、さらにバケツを移動し秤皿が計量位置に変位したときに車輪が床面より完全に離間する高さであることを特徴とする計量装置。
【発明の詳細な説明】
【０００１】
【発明の属する技術分野】
本発明は計量装置、さらに詳しくはゴミ等の廃棄物を計量するのに適した計量装置に関する。
【０００２】
【従来の技術】
最近、ゴミ等の廃棄物の処理を有料で行うビジネスが注目されている。通常、処理料金は処理する廃棄物の種類と重量で算出されるため、廃棄物の重量を計量するための計量装置の需要が高まってきている。
一般に、廃棄物はキャスターのついた大型の収納容器（バケツ、コンテナ等）に収納されており、また、処理業者は廃棄物の収集に計量装置を持って相手先まで行き、そこで廃棄物の重量を計量装置により容器ごと計量し、計量結果から容器の重量（風袋）を引いて廃棄物の重量を計量する。そして、その重量に廃棄物毎に定められている単価をかけて処理料金を算出する。
このような計量装置としては、使用上の便益から次の要求を満たすことが望まれる。
▲１▼持ち運ぶことが前提なので、なるべく小型かつ軽量に構成すること。
▲２▼小型にもかかわらず、大型の被計量物を安定して計量できること。
▲３▼収納容器を起立状のまま移動させて秤皿に載せることができ、秤皿上への載せ降ろし作業が簡単かつ確実に行えること。
しかしながら、従来のこの種の計量装置は上記の要求を充分満足するものが見当たらなかった。
【０００３】
例えば、本発明者はこの発明の開発にあたり、図８のような計量装置を検討し試行してみた。すなわち、基台101上にロードセル102を設置し、その上にローラ付きの秤皿103を配置して計量装置を構成するが、その秤皿103の一端側に近接するものの分離しているスロープ部104を配設した構造である。
しかしながら、上記試行例においては、収納容器Ｂを載せ降ろしするための前記スロープ部104を基台101に固定しなければならず、そのため基台部分が長くなり装置重量が重くなって持ち運びに不便である。
また、秤皿103の長さが短いため、大型の収納容器を安定して計量することが難しいとともに、収納容器の載せ降ろし作業が簡単化されないこととなり、上記要求を必ずしも充分満足するものではなかった。
【０００４】
【発明が解決しようとする課題】
本発明は、上記従来事情に鑑み、廃棄物を収納する大型の収納容器（バケツ、コンテナ等）の計量用であり、該容器を起立状のまま移動させて秤皿に載せるという特殊用途に限定されている計量装置であって、上述した要求を満足し使用上の便益に優れた計量装置を提供することを目的とする。
【０００５】
【課題を解決するための手段】
斯る本発明の計量装置は、基台上に皿受け部材及び秤皿を含む秤本体部を取り付け設置し、その秤皿を、前記皿受け部材の前端部を支点として揺動可能に配設し、該秤皿の前方には収納容器の載せ降ろしをガイドするスロープ部が一体的に形成されるとともに、秤皿の後端には収納容器の移動を停止させるストッパー部が設けられたことを特徴とする。そして、この秤皿は、収納容器が前記スロープ部に乗り上げたときに、そのスロープ部前端が床面に接した搬送位置にあり、さらに収納容器が移動しその重心が前記支点を過ぎたときに、揺動して前記スロープ部前端が床面から離間した計量位置になるようにする。
この本発明によれば、廃棄物を収納した収納バケツやコンテナ等の収納容器の近傍に計量装置を置き、該装置のスロープ部を利用して前記収納容器を手押し操作により押し動かし秤皿へ移動させることができる。そして、収納容器が秤皿上へ載り前記支点を過ぎると秤皿が揺動して計量位置、すなわち前記スロープ部前端が床面から離間した状態、さらには収納容器も床面から離間した状態となって計量することができる。
計量後には、収納容器を前方へ引き戻せば、その途中で秤皿が搬送位置、すなわち前記スロープ部前端が床面に接した状態に変位するので、そのスロープ部を利用して収納容器を秤皿より引き降ろして床面に着地させ計量装置から離脱させることができる。
【０００６】
上記秤皿は、ゼロ点出力（無負荷時の出力）を得るためには、収納容器を載せ降ろししない通常時、つまり秤皿上に収納容器を搬送しない初期位置において、前記スロープ部前端が床面から離間した状態とする必要がある。
そして、計量装置の格納時または持ち運び時の安定性を考慮すれば、秤皿がその重量を皿受け部材上に支持されている方が好ましい（請求項２）。また、秤皿が計量位置にある状態でも同様である（請求項３）。すなわち、秤皿は揺動可能に配設されるが、その初期位置および計量位置は同一状態にあることが好ましい。
また上記秤皿は、そのスロープ部が床面から離間した計量位置にあるときには、前記支点より後側が前記スロープ部とは逆向きの緩い傾斜面となるように形成し、これにより、収納容器をストッパー部に確実に当接させ安定した状態で載置し計量し得るようにする（請求項４）。
さらに上記秤皿は、その軽量化を図るとともに大小の収納容器を取り扱うことを可能とするために、一対の平行なレール部材により構成し、しかも両レール部材の間隔が調整可能に構成することが好ましく（請求項５）、また、収納容器を載せ降ろしする際の移動を円滑ならしめるために、秤皿の上面に敷居滑りを貼着したり、あるいは転動自在なローラを配設する等により摺動面とすることもよい（請求項６）。
【０００７】
さらに本発明の具体的構成は、廃棄物等を収納する車輪付きバケツを起立状のまま前方向から移動させ秤皿に載せて計量する計量装置であって、その秤皿は、バケツ移動方向と直交する方向の幅が、前記車輪の間隔よりも狭く、またその高さは、少なくともバケツを車輪で移動させたときに、前記スロープにが車輪間の部分が当接し、さらにバケツを移動され秤皿が計量位置に変位したときに車輪が床面より完全に離間する高さとするものである（請求項７）。
【０００８】
【発明の実施の形態】
本発明の実施の態様を図面に基づいて説明すれば、図１〜図３において、符号１は基台を示し、この基台１上に秤本体部10が取り付け設置されて計量装置Ａを構成する。
基台１は、安定した構造とするために、矩形部の前後に漸増する拡幅部を有する基枠１ａを成形し、この基枠１ａ内の後部に台盤１ｂを固着して設け、その他の部分に底板１ｃを取り付け封鎖して構成される。
また基台１は、その基枠１ａの四隅部、詳しくは前記拡幅部の左右各端部の底面にそれぞれゴム等の緩衝材からなる円盤状の接地脚２を高さ調整可能に取り付ける。なお、図中の符号３は計量装置Ａを持ち運びするための取っ手である。
【０００９】
上記基台１には、ロードセル（起歪体）11、皿受け板（皿受け部材）12及び秤皿13を配設して秤本体部10が構成される。
ロードセル11は、基台１上に間隔をおき水平に配置される扁平薄板状であって、その後端部を前記台盤１ｂ上にスペーサー14を介してボルト止めにより取り付け固定され、この取り付け部がロードセル11の支点側を構成する。
また、ロードセル11の前端部には、前記皿受け板12の前部がスペーサー15を介してボルト止めにより取り付け固定され、この取り付け部がロードセル11の重点側を構成する。
【００１０】
皿受け板12は、前記ロードセル11の上面を覆う矩形板であり、その前端部上面には左右幅方向へ延びる軸16を架設し、該軸16の左右両端を支軸部16ａとして皿受け板12の外側へ突出状とし、その支軸部16ａ，16ａに秤皿13を揺動可能に取り付ける。
また、皿受け板12は、その後部上面に所定高さの台座17を皿受け板12の外側へ突出状に設け、該台座17の上面に揺動する前記秤皿13の後部が当接して停止するようにするとともに、秤皿13と当接する部分にはゴム等の弾性材からなる受面片18を取り付けておく。
【００１１】
上記秤皿13は、分離した二部材、詳しくは前記支軸部16ａ，16ａにそれぞれ軸支されて揺動可能かつ平行に配置された一対のレール部材20，20で構成される場合を例示する。
各レール部材20は、前後方向の中心より若干前方位置に軸受21を有し、その軸受21を前記皿受け板12の支軸部16ａに回動自在に嵌め合うことにより、支軸部16ａを支点として上下方向へ揺動するようにしたものである。
この各レール部材20は、前記各支軸部16ａの外側端に抜け止め環22を嵌め合って抜け止めされている。
上記各レール部材20は、その軸受21を中心にその後方部分を、前記皿受け板12より若干長さ後方へ延出させるとともに、前方部分を皿受け板12の略半分程度の長さを基台１の前方へ延出させた長さである。
【００１２】
各レール部材20は、その後端にストッパー部23を起立状に取り付けるとともに、その前方下面に前記台座17の受面片18に対向する当接片24を取り付け、この当接片24も受面片18と同材の弾性材からなるものである。
また、各レール部材20の前端には、前記当接片24が台座17の受面片18に当接した状態で、下端が床面Ｆから若干高さ離間している前脚部25を一体に形成する（図１又は図５参照）。したがって、各レール部材20は、前脚部25が床面Ｆに接地するまで揺動可能、すなわち、前記当接片24が台座17の受面片18に当接する図１の位置から前脚部25が床面Ｆに接地する位置（図４参照）まで揺動するものである。
なお、図１，５の状態が秤皿13の初期位置及び計量位置であり、図４の状態が秤皿13の搬送位置である。
【００１３】
斯る秤皿13の上面、すなわち各レール部20の上面は、前記当接片24が台座17の受面片18に当接した状態（図１を拡大した図２参照）で、前記軸受21を中心にその後方部分を略水平状、好ましくは図示のとおり、僅かに後下りの傾斜面に形成して実質的な秤面13ａとし、他方の前方部分を前下り状のスロープ部13ｂに形成する。
スロープ部13ｂは、秤面13ａの先端に連接し逆向きの第１傾斜面S1と、それに連接した第２傾斜面S2とからなる二段スロープであって、図示においては、その第２傾斜面S2の前端を垂直面にして前記前脚部25の一部を構成するようにしている。
このスロープ13ｂは、計量しようとする収納バケツＢを上位に位置する秤面13ａへ載せ降ろしするためのガイド部材として機能するものであり、図示のような二段スロープに限らず、一段スロープとし、あるいは湾曲面状とすることも自由である。
また、上記各レール部20の上面、すなわち各秤面13ａ及びスロープ部13ｂの上面には、収容バケツＢの摺動を円滑ならしめるために敷居滑り26を貼着している。
【００１４】
なお、図において符号27，28は前記ストッパー部23の前面、前脚部25の底面に貼着した弾性片、符号29はロードセル11に張着した歪ゲージ（図示せず）に接続された配線コードであり、該コード29は操作部及び表示部を有するコンソール４に接続される。このコンソール４は、計量装置Ａの視認可能な位置に固定したり、あるいは別体に配置するものである。
【００１５】
次に、図においては、収納容器の一例として車輪付きバケツＢを示す。
バケツＢは、プラスチック製の大型容器であり、その底面ｂの前部に２個の小型車輪（キャスター）30，30を取り付け、後部に２個の大型車輪31，31を取り付けるとともに、背面上部には、バケツＢを押し引きするためのハンドル部32を備える。
上記車輪30，30及び31，31の間隔は、計量装置Ａの前記レール部20，20の外側幅より大きく、バケツＢを秤皿13に載せ降ろしする際に、前記車輪30，30及び31，31がレール部20，20の外側に配置した状態、換言すればバケツＢの底面ｂが秤皿13のスロープ部13ｂ及び秤面13ａに摺接するようにする。
【００１６】
而して、上記計量装置Ａによる計量作業を図１，４，５により説明すれば、図１のように、廃棄物を収納したバケツＢの近傍床面に計量装置１を持ち運び配置する。この図１は前述したように秤皿13の初期位置である。
バケツＢは、作業者により手押しされて計量装置Ａの直前に移動され、該位置においてバケツＢの車輪30，30を浮き上がらせながらバケツＢを押し動かして底面ｂを秤皿13のスロープ部13ｂ，13ｂへ乗り上げさせる（図４参照）。それにより、バケツＢから受ける荷重によって秤皿13は、支軸部16ａを支点として揺動し前脚部25が床面Ｆに接地した搬送位置に変位する（同図４参照）。
【００１７】
したがって、作業者は安定した状態でバケツＢをスロープ部13ｂ，13ｂに沿って摺動させることができ、その後、さらにバケツＢを押し動かして秤面13ａへ移動させ、その重心が支軸部16ａを通過したときに、秤皿13は逆向きに揺動して前脚部25が再び床面Ｆから離間した状態、すなわち図５の計量位置に変位する。
そこで、バケツＢを秤面13ａの傾斜に沿ってさらに摺動させ、バケツＢの先端がストッパー部23に当接したところでバケツＢが停止するので、その状態でバケツＢの重量を計量することができる。なお、この計量時に、バケツＢの全ての車輪30，30，31，31は床面Ｆから浮上した状態である。
計量後に、バケツＢを作業者が引き降ろすことにより、秤皿13は揺動して図４の搬送位置に変位した後に図１の初期位置に復帰する。
【００１８】
上記実施の形態において、秤皿13のを構成するレール部材20，20は一定の幅間隔に設定された場合を例示したが、このレール部材20，20の間隔を収納容器の大小により調整可能とすることも可能である。
例えば、図６に示すように、左右の各支軸部16ａに継軸16ｂを着脱可能に継ぎ足し、その継軸16ｂにレール部材20を取り付けることにより、間隔を調整する等である。その場合には台座17の延長部17’も同様に着脱可能に継ぎ足すようにする。
また、上記レール部材20はバケツＢの載せ降ろしする際の移動を円滑にするため、敷居滑り26を貼着することにより摺動面を形成した場合を説明したが、それに限らず、例えば図７に示すように、レール部材20’の上面を敷居滑りに代えてコロ状のローラ26’を転動自在に配設することもよい。
【００１９】
なお、上記収納容器として車輪つきバケツＢの場合を説明したが、該容器の形態に限定されるものではないとともに、容器に収納される被計量物はゴミ等の廃棄物に限られるものではなく、可搬性を有する容器内に収納されたものであればその種類が問われるものではない。
【００２０】
【発明の効果】
本発明によれば、前方にスロープ部を設けた秤皿を揺動可能に配設したので、該スロープ部の収納容器のガイド作用及び秤皿の揺動動作を利用して、収納容器を秤皿上へ簡単かつ確実に載せ降ろしさせることができるとともに、スロープ部も秤皿の一部を構成するので、図８の試行例に比べて大型の収納容器を安定して計量することができ、また基台には秤本体部のみを設置するだけであるから、比較的重量部材である基台を短小にすることができ、図８の試行例に比べて計量化が可能となる（請求項１及び７）。
また、請求項２によれば、揺動可能な秤皿は、通常時において、床面から離間した状態とされ、その後端部が皿受け部材の台座に当接し支持されるので、安定なゼロ点出力を得ることができるとともに、計量装置を使用しない格納時又は持ち運び時に、収納容器を安定した状態で保管又は携帯することができる。同様に、請求項３によれば、収納容器を安定した状態で迅速かつ確実に計量することができる。
また、請求項４によれば、傾斜面により収納容器が大きい場合でも秤皿上に安定して載置することができるとともに、収納容器の搬送作業も容易となる。
【００２１】
本発明の請求項５によれば、秤皿を構成する両レール部の間隔を調整することにより、1台の計量装置により小型から大型の収納容器に対応することができ、請求項６によれば、収納容器を秤皿に載せ降ろしする搬送作業を軽力で簡単に行うことができる。
さらに、請求項７によれば、収納容器である車輪付きバケツを車輪ごと秤皿へ載せ降ろしする場合に比べて、バケツの大きさに対し秤皿を小型化できコンパクトな計量装置を提供することができる。
【図面の簡単な説明】
【図１】  本発明の計量装置を示す側面図である。
【図２】  図１の拡大断面図である。
【図３】  図２の平面図である。
【図４】  秤皿が搬送位置にある状態を示す側面図である。
【図５】  秤皿が計量位置にある状態を示す側面図である。
【図６】  変形例を示す一部切欠せる平面図である。
【図７】  他の変形例を示す断面側面図である。
【図８】  試行例を示す側面図である。
【符号の説明】
Ａ：計量装置          Ｂ：バケツ（収納容器）          １：基台
10：秤本体部          12：皿受け板（皿受け部材）      13：秤皿
13ａ：秤面            13ｂ：スロープ部                16ａ：支軸部
17：台座              20：レール部材                23：ストッパー部
25：前脚部            26：敷居滑り
【図１】
0004120094.tif 000002
【図２】
0004120094.tif 000003
【図３】
0004120094.tif 000004
【図４】
0004120094.tif 000005
【図５】
0004120094.tif 000006
【図６】
0004120094.tif 000007
【図７】
0004120094.tif 000008
【図８】
0004120094.tif 000009